(57)【要約】  歯内治療具はハンドル（１）とキャップ（２）を有する。ハンドル（１）とキャップ（２）とはねじ方式で結合される。通路（６）がキャップ（２）の第１端（７）を通って延びており、キャップ（２）の第２端（９）は開口（１０）を含み、この開口を取って歯内治療やすり（１１）が突き出る。随意には、歯内治療具は湾曲した歯内治療やすり（１１）を含み、キャップの第２端（９）の開口（１０）はキャップの側面（１５）まで延び、その側面（１５）では、開口は寸法が十分拡大しており、歯内治療やすり（１１）の先端（１４）に対立した端（１６）に取付けられたプラスチックキャップ（１２）にある通路（１６）内への導入を可能にしている。
2007508910.tif 000002
【特許請求の範囲】
【請求項１】
第１端（５）にねじ付き突出部（４）を備える細長いベース（３）を有するハンドル（１）と、
キャップ（２）の第１端（７）を通って延びる通路（６）を含むキャップ（２）と、を備え、前記キャップ（２）は、前記ハンドル（１）の細長いベース（３）の突出部（４）に結合するためのねじ部がある通路（６）の第１部分（８）を有し、前記キャップ（２）は側面（１５）を押付け、前記キャップ（２）はさらに、歯内治療やすり（１１）が突き出る開口（１０）を含む第２端（９）を有し、開口（１０）の直径は、歯内治療やすり（１１）の直径より大きいが、歯内治療やすり（１１）に取付けられたプラスチックキャップ（１２）の直径より小さくなるように選択されている、
歯内治療具。
【請求項２】
細長いベース（３）が最大外径を有し、
前記キャップ（２）が最大外径を有し、
前記キャップ（２）の最大外径が細長いベース（３）の最大外径と実質的に同一である、
請求項１に記載の歯内治療具。
【請求項３】
先端（１４）と歯内治療やすり（１１）の前記先端（１４）に対立した端（１６）に取付けられたプラスチックキャップ（１２）とを有する歯内治療やすり（１１）をさらに備え、
前記歯内治療やすり（１１）は、前記キャップ（２）の第２端（９）の開口（１０）と前記キャップ（２）の通路（６）内に収容されている取付けられたプラスチックキャップ（１２）とを通って延びる、請求項１に記載の歯内治療具。
【請求項４】
細長いベース（３）が最大外径を有し、
前記キャップ（２）が最大外径を有し、
前記キャップ（２）の最大外径が細長いベース（３）の最大外径と実質的に同一である、
請求項３に記載の歯内治療具。
【請求項５】
前記キャップ（２）の第２端（９）の開口（１０）が前記キャップ（２）の側面（１５）まで延び、その側面（１５）では、開口は寸法が十分拡大しており、歯内治療やすり（１１）に取付けられたプラスチックキャップ（１２）の通路（６）内への導入を可能にしている、請求項１に記載の歯内治療具。
【請求項６】
細長いベース（３）が最大外径を有し、
前記キャップ（２）が最大外径を有し、
前記キャップ（２）の最大外径が細長いベース（３）の最大外径と実質的に同一である、
請求項５に記載の歯内治療具。
【請求項７】
先端（１４）と、中心線（１３）と、歯内治療やすり（１１）の前記先端（１４）に対立した端（１６）に取付けられたプラスチックキャップ（１２）とを有する歯内治療やすり（１１）をさらに備え、前記歯内治療やすり（１１）が、前記キャップ（２）の第２端（９）の開口（１０）と前記キャップ（２）の通路（６）内に収容されている取付けられたプラスチックキャップ（１２）とを通って延び、前記歯内治療やすり（１１）は、前記歯内治療やすり（１１）が先端（１４）に向かって進行するとき、最初は中心線（１３）から離れる方向に移動し、その後中心線（１３）に向かって曲線を描いて戻り、中心線（１３）と交差する、
請求項５に記載の歯内治療具。
【請求項８】
細長いベース（３）が最大外径を有し、
前記キャップ（２）が最大外径を有し、
前記キャップ（２）の最大外径が細長いベース（３）の最大外径と実質的に同一である、
請求項７に記載の歯内治療具。
【請求項９】
第１端（５）にねじ付き突出部（４）を備える細長いベース（３）と最大外径とを有するハンドル（１）と、
キャップ（２）の第１端（７）を通って延びる通路（６）を含むキャップ（２）と、を備えた歯内治療具であって、前記キャップ（２）は、前記ハンドル（１）の細長いベース（３）の突出部（４）に結合するためのねじ部がある通路（６）の第１部分（８）を有し、前記キャップ（２）は側面（１５）を押付け、前記キャップ（２）は細長いベース（３）の最大外径と実質的に同一である最大外径を有し、
前記キャップ（２）はさらに、歯内治療やすり（１１）が突き出る開口（１０）を含む第２端（９）を有し、開口（１０）の直径は、歯内治療やすり（１１）の直径より大きいが、歯内治療やすり（１１）に取付けられたプラスチックキャップ（１２）の直径より小さくなるように選択されており、
先端（１４）と歯内治療やすり（１１）の前記先端（１４）に対立した端（１６）に取付けられたプラスチックキャップ（１２）とを有する歯内治療やすり（１１）をさらに備え、前記歯内治療やすり（１１）は、前記キャップ（２）の第２端（９）の開口（１０）と前記キャップ（２）の通路（６）内に収容されている取付けられたプラスチックキャップ（１２）とを通って延びている、
歯内治療具。
【請求項１０】
第１端（５）のねじ付き突出部（４）を押し付けるベース（３）を備える細長いベース（３）と最大外径とを有するハンドル（１）と、
キャップ（２）の第１端（７）を通って延びる通路（６）を含むキャップ（２）と、を備えた歯内治療具であって、前記キャップ（２）は、前記ハンドル（１）の細長いベース（３）の突出部（４）に結合するためのねじ部がある通路（６）の第１部分（８）を有し、前記キャップ（２）は側面（１５）を押付け、前記キャップ（２）は細長いベース（３）の最大外径と実質的に同一である最大外径を有し、前記キャップ（２）はさらに、歯内治療やすり（１１）が突き出る開口（１０）を含む第２端（９）を有し、開口（１０）の直径は、歯内治療やすり（１１）の直径より大きいが、歯内治療やすり（１１）に取付けられたプラスチックキャップ（１２）の直径より小さくなるように選択されており、
先端（１４）と、中心線（１３）と、歯内治療やすり（１１）の前記先端（１４）に対立した端（１６）に取付けられたプラスチックキャップ（１２）とを有する歯内治療やすり（１１）をさらに備え、前記歯内治療やすり（１１）が、前記キャップ（２）の第２端（９）の開口（１０）と前記キャップ（２）の通路（６）内に収容されている取付けられたプラスチックキャップ（１２）とを通って延び、前記歯内治療やすり（１１）は、前記歯内治療やすり（１１）が先端（１４）に向かって進行するとき、最初は中心線（１３）から離れる方向に動し、その後中心線（１３）に向かって曲線を描いて戻り、中心線（１３）と交差する、
歯内治療具。
【発明の詳細な説明】
【技術分野】
【０００１】
本発明は歯内治療具、詳細には、歯内治療やすりのホルダおよびそのホルダの随意の用途のための特殊形状の歯内治療やすりに関する。
【背景技術】
【０００２】
歯内治療やすりの保持については、多数の特許が認可されている。これらの特許には、米国特許第３，２４７，５９４号、第４，２５１，２１４、第４，３３０，２７８号、第４，５８２，４８９号、第４，９４０，４１０号、第４，９９２、０４８号、第５，７７５，９０３号、第５，７７５，９０４号、第５，９２１，７７５号、第６，１７４，１６５号、第６，２１３，７７１号、第６，２３１、３４０号、第６，５７５，７４７号が挙げられる。
【０００３】
特許出願第６，２３１，３４０号は、歯内治療やすりの従来のキャップに適していたデバイスを記載している。
【０００４】
特許特許第６、２３１、３４０号は本発明に最も近いホルダである。この特許のデバイスは細長いハンドルの端部近くに開口を有する。開口はハンドルの縦軸を横切る。歯科用具のシャフトは横方向開口内に置かれ、ハンドル端部からこのシャフトにナットがねじ込まれる。
【０００５】
米国特許第４，９９２，０４８号および米国特許第５，７７５，９０４号は、最初はやすりの中心線から離れる方向に移動し、その後この中心線に平行または中心線に向かって曲線を描いて戻る歯内治療やすりを示すが、これら特許のやすりは中心線と交差しない。米国特許第１，８１８，６２７号の充填デバイスは、中心線と交差するが、このデバイスはやすりではない。このデバイスは、歯随管を充填するのに使用され、このような管をやすり仕上げして材料を取り除く（充填の逆）ものではない。
【発明の開示】
【課題を解決するための手段】
【０００６】
本発明の歯内治療具はそれにキャップをねじ結合するハンドルを備える。キャップはキャップの第１端を通って延びる通路を有し、キャップの第２端は、ハンドルからより離れた位置にあり、歯内治療やすりが突き出る開口を含む。開口は、歯内治療やすりの直径より大きいが、歯内治療具に取付けられたプラスチックキャップの直径より小さくなるように選択された直径を有する。
【０００７】
随意には、歯内治療具は、最初は歯内治療やすりの中心線から離れる方向に移動し、その後この中心線に向かって曲線を描いて戻り、中心線と交差する、歯内治療やすりを含む。このような湾曲する歯内治療やすりを達成するために、開口がキャップの側面まで延び、その側面で開口の寸法が十分拡大しており、プラスチックキャップの導入を可能にしている。
【発明を実施するための最良の形態】
【０００８】
歯内治療やすりは、歯随管を調製およびクリーニングするのに用いる、細い、先細の溝付きワイヤである。
【０００９】
従来技術は前述のホルダを含み、歯科医は通常、単に親指と人差し指とで、歯内治療やすりに取り付けられたプラスチックキャップを保持する。
【００１０】
図１に示されるとおり、本発明のホルダはハンドル（１）とキャップ（２）を有する。
【００１１】
ハンドル（１）は、第１端（５）にねじ付き突出部（４）を有する細長いベース（３）を備える。
【００１２】
好ましくは、キャップ（２）の最大外径は細長いベース（３）の最大外径と実質的に同一である。
【００１３】
キャップ（２）はキャップ（２）の第１端（７）を通って延びる通路（６）を有する。通路（６）の第１部分（８）には、細長いベース（３）の突出部（４）に結合するねじを有する。キャップ（２）の第２端（９）は、歯内治療やすり（１１）が突き出る開口（１０）を含む。
【００１４】
使用においては、歯内治療やすり（１１）は、開口（１０）と通路（６）内にある先端（１４）の反対側で（端部（１６）で）歯内治療やすり（１１）の取付けられたプラスチックキャップ（１２）とを通り突き出るように配置される。開口（１０）の直径は、歯内治療やすり（１１）の直径より大きいが、プラスチックキャップ（１２）の直径より小さくなるように選択される）。次に、プラスチックキャップ（１２）が通路（６）内のキャップ（２）の第２端（９）と突起部（４）との間に確実に保持されるまで、キャップ（２）が細長いベース（３）の第１端（５）に固くねじ込まれる。
【００１５】
歯内治療具使用者の作業を容易にするために、本発明の任意選択機能として、図２に示されるとおり、最初は矢印（Ａ）で示される方向の、歯内治療やすり（１１）の中心線（１３）から離れる方向に移動し、その後、歯内治療やすり（１１）の先端（１４）に近付くに伴い、この中心線（１３）に向かって曲線を描いて戻り、中心線と交差する、歯内治療やすりがある。
【００１６】
このような歯内治療やすり（１１）を収容するために、開口（１０）がキャップ（２）の側面（１５）まで延び、その側面（１５）では、開口は寸法が十分拡大しており、プラスチックキャップ（１２）の通路（６）内への導入を可能にしている。
【００１７】
ホルダにより、親指と人差し指での握りが鉛筆式の握りに変更され、歯科医が歯内治療やすり（１１）を容易に操作できるようになる。歯内治療やすり（１１）により、歯科医は手を都合のよい位置に置くことができる。
【００１８】
本明細書で用いられる場合、用語の「実質的に」は、当業者がこの用語により修飾された値は記載された値に対する許容限界以内にあると考える、ことを表す。さらに、本明細書で用いられる場合、用語の「好ましい」または「好ましくは」は、指定された要素または技法が他のもの以上に容認できることを意味するが、このように指定された要素または技法が必要不可欠であることを意味しない。
【産業上の利用可能性】
【００１９】
フィルタ装置組込ナノ粒子を産業において利用できる方法、およびフィルタ装置組込ナノ粒子を製造および使用できる方法は、フィルタ装置組込ナノ粒子の説明および特質から明らかである。
【図面の簡単な説明】
【００２０】
【図１】歯内治療具のホルダを示す。
【図２】随意の湾曲する歯内治療やすりを示す。
【図１】
2007508910.tif 000003
【図２】
2007508910.tif 000004
【国際調査報告】
2007508910.tif 000005
2007508910.tif 000006
2007508910.tif 000007